(57)【要約】      （修正有）【課題】接着剤を使用しない積層パットを提供する。【解決手段】積層パットとすべき複数枚のパット１の端部の必要部位に、嵌合部となる凹凸部３，４を設け、凹部３に凸部４を嵌め込むことにより、積層を固持、安定させた。【選択図】図１
0003153653.tif 000002
【実用新案登録請求の範囲】
【請求項１】
商品を収納保持させるための凹部を有する積層パットにあって、積層すべき複数枚のパットの上面と底面パットの必要部位に、互いを嵌め込み積層を固持すべく凹部、凸部を持つ構造としたパット。
【請求項２】
商品を収納保持させるための空間凹部を有する積層パットにあって、積層パットを形成するに際し、パット両端の必要部位に、互いを嵌め込み積層を固持すべく凹部、凸部を持つ構造とした１枚のパットに、１本、あるいは複数本の切り込みや、罫線などの加工を施し、コの字やＺの字など、二つ折り以上折り曲げ、畳むことにより積層化を可能としたパット。
【請求項３】
商品を収納保持させるための空間凹部を有する積層パットにあって、積層すべき１枚または複数枚のパットを挟み込み積層化するに際し、外側となるパットは、コの字となるよう２本の切り込みや罫線などを施したパット両端の必要部位に、互いを嵌め込み積層を固持すべく凹部、凸部を持つ構造とした１枚のパットに、コの字の内に収まるパットとで構成されたパット。
【請求項４】
商品を収納保持する空間凹部を有しない積層パットにあっても、上記同様とした積層パット。
【考案の詳細な説明】
【技術分野】
【０００１】本考案は、接着剤や両面粘着テープなどを使用せずに作成される積層パットに関するものである。
【背景技術】
【０００２】  積層パットを得るには、接着剤や両面粘着テープなどで複数枚のパットを接着し、積層パットとしているのが一般的である。【０００３】  しかし、接着剤での接着過程では、接着剤が飛散することが多々あり、その接着剤が積層すべきパットの表面や端部に付着ことがある。【０００４】  積層パットの多くは、商品を収納保持すべき空間凹部を抜き型により打ち抜き作成された構造となっており、接着剤による積層ではその断面より接着剤がはみ出し、収納される商品を汚染することがある。
【考案の開示】
【考案が解決しようとする課題】
【０００５】  解決しようとする課題は、接着剤を使用することなく積層パットを得ようとする点である。
【課題を解決するための手段】
【０００６】  本考案は、例えば積層パットとすべき複数枚のパットの天面パットの表面端部必要部位に凹部を、下面パット端部必要部位に天面パットの表面端部凹部に嵌め込み積層を固持させる凸部を有した形状のパットとしたので、凹凸部を嵌合することにより接着剤などを使用することのない積層パットを得られる。
【考案の効果】
【０００７】    上記のように、本考案の積層パットは、複数枚のパット天面、下面パットの必要部位に凹凸部を設け、互いを嵌合することにより積層を固持することが出来るので、接着剤などを使用することがないので、接着剤が飛散してパット表面や、収納商品を汚染することのない積層パットを得られる利点がある。【０００８】  積層パットは、商品を収納すべき空間凹形状に型抜きされた形状に作成されるので、積層を固持させるためのパット端面の凹凸部を、商品収納空間凹部作成時に同時に作成できるので余分な費用が不要であるという利点もある。
【考案を実施するための最良の形態】
【０００９】  積層パットとすべき複数枚のパットの、天面となるパットの左右両端面に凹部を、同じく下面となるパットの左右両端面に、天面凹部に嵌め込むべき凸部を有するパットとし、凸部を凹部に嵌め込み、積層パットを固持安定させる形態とした。
【実施例】
【００１０】  以下、添付図面に従って実施例を説明するが、単に説明のためのものであり本考案の適用範囲などを、制限や限定するものではない。
１はダンボール等適宜素材にて積層を形成する外側のコの字パット、３の凹部、４の凸部は、１のコの字パット両端に嵌め合せが十分となるよう任意な形状とした加工を施した。【００１１】  １及び２は、６の商品収納空間を空けたダンボール等適宜素材からなり、２は１のコの字パットの内側に挟んで積層パットを構成するパットであり、積層を固持させるための凹凸部を、１のコの字パットの両端に設け、４の凸部を３の凹部に嵌め込むことにより積層状態を固持、安定させる。【００１２】  ５の罫線２本は１のダンボール等適宜素材をコの字に折り曲げるためにあり、任意な積層厚みを確保すべき間隔とし、２のパットを必要数挟んだ積層パットとした。【００１３】  本考案の一実施例は上述のごとき構成からなるものであるから、３の凹部に、４の凸部を嵌め込むことにより、接着剤などを使用することなく積層状態を固持できる。
【図面の簡単な説明】
【００１４】
【図１】  本考案の積層パットであり、商品収納部を有する、コの字としたパットの内側にパットを挟んだ積層パットの斜視図である。
【図２】  コの字パットと、その内に収まるパットを示す略平面展開図である。
【図３】  二層の積層パットを、一枚のパットで作成するパットの略平面展開図である。
【図４】  図３の形状の展開図から、二つ折りに畳んで、二層の積層パットとした斜視図である。
【図５】  三層の積層パットを、一枚のパットで作成するパットの略平面展開図である。
【図６】  図５の形状の展開図から、三つ折りに畳んで、三層の積層パットとした斜視図である。
【符号の説明】
【００１５】  １  ダンボール等の適宜素材からなる罫線を施したパット
２  コの字パットに内蔵され、１枚または、複数枚で使用されるパット
３  パットの端面にあって、対する端面の凸部を嵌め込むための凹部
４  パットの端面にあって、対する端面の凹部に嵌め込む凸部
５  パットを折り曲げるための罫線
６  商品の収納部
【図１】
0003153653.tif 000003
【図２】
0003153653.tif 000004
【図３】
0003153653.tif 000005
【図４】
0003153653.tif 000006
【図５】
0003153653.tif 000007
【図６】
0003153653.tif 000008
【手続補正書】
【提出日】平成21年5月11日(2009.5.11)
【手続補正１】
【補正対象書類名】実用新案登録請求の範囲
【補正対象項目名】請求項４
【補正方法】削除
【補正の内容】
【手続補正書】
【提出日】平成21年7月10日(2009.7.10)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
商品を収納保持させるための凹部を有する積層パットにあって、積層すべき複数枚のパットの上面と底面パットの必要部位に、互いを嵌め込み積層を固持すべく凹部、凸部を持つ構造としたパット。
【請求項２】
商品を収納保持させるための空間凹部を有する積層パットにあって、積層パットを形成するに際し、パット両端の必要部位に、互いを嵌め込み積層を固持すべく凹部、凸部を持つ構造とした１枚のパットに、１本、あるいは複数本の切り込みや、罫線などの加工を施し、コの字やＺの字など、二つ折り以上折り曲げ、畳むことにより積層化を可能としたパット。
【請求項３】
商品を収納保持させるための空間凹部を有する積層パットにあって、積層すべき１枚または複数枚のパットを挟み込み積層化するに際し、外側となるパットは、コの字となるよう２本の切り込みや罫線などを施したパット両端の必要部位に、互いを嵌め込み積層を固持すべく凹部、凸部を持つ構造とした１枚のパットに、コの字の内に収まるパットとで構成されたパット。